(57)【要約】    【課題】  被梱包物の形状および寸法に応じて対応する形状の発泡成形用金型を用いて発泡成形することなく、互いに異なる寸法あるいはモデルにフレキシブルに対応できる梱包用緩衝体を提供する。    【解決手段】  その上のコーナの部分に側壁部１２を備える４枚の板状体１１を備え、これら４枚の板状体１１が互いに伸縮自在な連結部１３によって互いに連結され、上記連結部１３の伸長度に応じて、被梱包物２０のコーナの部分にフィットできるようにする。    【選択図】    図４
2007099371.tif 000002
【特許請求の範囲】
【請求項１】
矩形の４つのコーナの部分に配される４枚の板状部と、
前記矩形のコーナを構成する互いに直交する２辺に沿うように前記４枚の板状部のコーナの部分にそれぞれ設けられる側壁部と、
前記４枚の板状部を互いに伸縮自在に連結する折畳み式の連結部と、
を具備する梱包用緩衝体。
【請求項２】
前記側壁部が単一の板状の材料から４つの板状部を打抜くときに、前記板状の材料の前記４枚の板状部の中間の部位から切出されることを特徴とする請求項１に記載の梱包用緩衝体。
【請求項３】
前記側壁部が単一の板状の材料から４つの板状部を打抜くときに、該板状部の外側から切出されることを特徴とする請求項１に記載の梱包用緩衝体。
【請求項４】
前記側壁部が単一の板状の材料から４つの板状部を打抜くときに、該板状部の外側において厚さ方向の一部を連結した状態で該板状部の外側から切出されることを特徴とする請求項１に記載の梱包用緩衝体。
【請求項５】
前記連結部が前記矩形の４辺と対応して互いに隣接する板状部を連結することを特徴とする請求項１に記載の梱包用緩衝体。
【請求項６】
前記連結部が両側から交互に切込みを入れて伸縮自在な折畳み構造としたことを特徴とする請求項１に記載の梱包用緩衝体。
【請求項７】
４枚の板状部のほぼ中央部に位置する受けパッドが設けられ、該受けパッドが伸縮自在な折畳み式の連結部を介して前記４枚の板状部に連結されることを特徴とする請求項１に記載の梱包用緩衝体。
【請求項８】
前記受けパッドを連結する連結部が、前記矩形の対角線方向に延びることを特徴とする請求項７に記載の梱包用緩衝体。
【請求項９】
前記受けパッドに一部が連結された切断線が形成され、前記連結された一部を破断すると前記受けパッドが中空の筒状の構造になることを特徴とする請求項８に記載の梱包用緩衝体。
【請求項１０】
発泡樹脂から構成されることを特徴とする請求項１に記載の梱包用緩衝体。
【請求項１１】
発泡ポリエステル樹脂から構成されることを特徴とする請求項１０に記載の梱包用緩衝体。
【請求項１２】
ほぼ直方体状をなす被梱包物の上面と下面とにそれぞれ装着され、４つの板状部が上面の４つのコーナの部位と下面の４つのコーナの部位とに配されることを特徴とする請求項１に記載の梱包用緩衝体。
【請求項１３】
被梱包物と包装箱との間の隙間を塞ぐように前記被梱包物の上面の４つのコーナの部位と下面の４つのコーナの部位とに配されることを特徴とする請求項１２に記載の梱包用緩衝体。
【発明の詳細な説明】
【技術分野】
【０００１】
本発明は梱包用緩衝体に係り、とくに被梱包物を梱包する際に、外部からの衝撃から上記被梱包物を保護する梱包用緩衝体に関する。
【背景技術】
【０００２】
各種の被梱包物、例えば電子機器を物流に供する場合には、従来より包装箱内にこれらの電子機器を収納している。そして上記被梱包物と包装箱との間の隙間を塞ぐように、発泡スチロール樹脂の成形体から成るクッションを使用しており、このようなクッションを包装箱内の所要の位置に配し、この状態で上記クッションを介して被梱包物を緩衝した状態で梱包するようにしていた。
【０００３】
このような従来の被梱包物の梱包形態は、被梱包物のモデルごとに、それぞれ対応する形状の発泡スチロール樹脂のクッションを製作しなければならず、これによってクッションの種類が非常に多くなる。またこのようなクッションを発泡成形するために、それぞれの形状に応じた発泡成形用金型を用意しなければならず、このためにクッションがコスト高になる欠点がある。また従来のこのような発泡スチロール樹脂のクッションは、被梱包物の大きさに比べて相対的に寸法が大きく、このために発泡スチロール樹脂の材料の使用量が多くなり、材料の面でもコスト高になる問題があった。さらに従来の発泡スチロール樹脂を用いた梱包形態は、包装設計の工数が増大し、これによって梱包のコストが増大する欠点がある。
【０００４】
しかも発泡スチロール樹脂から成るクッションは、使用後に廃棄する際に、焼却すると黒煙を発し、これによって大気汚染の原因になる。また焼却時に発生する高温の熱によって、炉を損傷する可能性があり、好ましくない。
【０００５】
特開２００４−３０７０６３号公報には、中央部に物品載置板を設けた箱体の側壁上端に連結した縁と、物品載置板との間に所定幅の不連続切目を並列設置してクッション部を形成し、物品載置板に外力を加えることにより、クッション部が弾性的に変形できるようにしたクッション付紙箱に関するものであって、クッション付箱を得ることができ、このために別部材から成るクッションが必要でなくなる。
【０００６】
しかるにこのような構造の仕切り板付き紙箱は、電子機器等の重量物を緩衝した状態で収納することができない。従って電子機器等の包装形態として採用するには不適当なものである。
【特許文献１】特開２００４−３０７０６３号公報
【特許文献２】特開平８−１５６９４２号公報
【発明の開示】
【発明が解決しようとする課題】
【０００７】
本願発明の課題は、被梱包物の寸法にかかわらず、フレキシブルに対応可能な梱包用緩衝体を提供することである。
【０００８】
本願発明の別の課題は、被梱包物ごとに、所定の形状とするような発泡成形用金型を必要としない梱包用緩衝体を提供することである。
【０００９】
本願発明のさらに別の課題は、被梱包物の寸法に比べて、緩衝体の使用材料の量が少なくなり、これによって材料の削減によるコストの低減を図ることができるようにした梱包用緩衝体を提供することである。
【００１０】
本願発明のさらに別の課題は、被梱包物がほぼ直方体である場合に汎用的に使用可能な梱包用緩衝体を提供することである。
【００１１】
本願発明のさらに別の課題は、梱包設計の工数が大幅に削減できるようにした梱包用緩衝体を提供することである。
【００１２】
本願発明の上記の課題および別の課題は、以下に述べる本願発明の技術的思想、およびその実施の形態によって明らかにされる。
【課題を解決するための手段】
【００１３】
本願の主要な発明は、矩形の４つのコーナの部分に配される４枚の板状部と、
前記矩形のコーナを構成する互いに直交する２辺に沿うように前記４枚の板状部のコーナの部分にそれぞれ設けられる側壁部と、
前記４枚の板状部を互いに伸縮自在に連結する折畳み式の連結部と、
を具備する梱包用緩衝体に関するものである。なおここで矩形とは、この梱包用緩衝体を使用状態に拡張したときに、４枚の板状部の外側部を結ぶ線分によって形成される長方形を言い、この梱包用緩衝体を用いて被梱包物を包装箱内に収納するときの、該包装箱の側板の内側に沿う水平方向の横断面から成る長方形を言う。
【００１４】
ここで、前記側壁部が単一の板状の材料から４つの板状部を打抜くときに、前記板状の材料の前記４枚の板状部の中間の部位から切出されてよい。また前記側壁部が単一の板状の材料から４つの板状部を打抜くときに、該板状部の外側から切出されてよい。また前記側壁部が単一の板状の材料から４つの板状部を打抜くときに、該板状部の外側において厚さ方向の一部を連結した状態で該板状部の外側から切出されてよい。また前記連結部が前記矩形の４辺と対応して互いに隣接する板状部を連結してよい。また前記連結部が両側から交互に切込みを入れて伸縮自在な折畳み構造としてよい。
【００１５】
また４枚の板状部のほぼ中央部に位置する受けパッドが設けられ、該受けパッドが伸縮自在な折畳み式の連結部を介して前記４枚の板状部に連結してよい。また前記受けパッドを連結する連結部が、前記矩形の対角線方向に延びるようにしてよい。また前記受けパッドに一部が連結された切断線が形成され、前記連結された一部を破断すると前記受けパッドが中空の筒状の構造になるようにしてよい。
【００１６】
またこの梱包用緩衝体が、発泡樹脂から構成されてよい。また発泡ポリエステル樹脂から構成されてよい。またほぼ直方体状をなす被梱包物の上面と下面とにそれぞれ装着され、４つの板状部が上面の４つのコーナの部位と下面の４つのコーナの部位とに配されてよい。また被梱包物と包装箱との間の隙間を塞ぐように前記被梱包物の上面の４つのコーナの部位と下面の４つのコーナの部位とに配されてよい。
【００１７】
本願発明の好ましい態様は、包装用緩衝体を構成するクッションを被梱包物の長さ方向および幅方向に伸ばすように拡張することができ、様々な大きさの製品に対応できるようにしたクッションである。とくにこのクッションの拡張機能によって、クッションを製作する材料の使用量が削減できる。またクッションの側壁面をクッション内部から取出すことによって、材料の有効利用が可能になる。
【００１８】
上記のような態様によると、クッション部品、金型がともに標準化され、さらに材料の使用量の大幅な削減が可能になる。また包装設計の工数の削減を行なうことができるようになる。
【発明の効果】
【００１９】
本願の主要な発明は、矩形の４つのコーナの部分に配される４枚の板状部と、矩形のコーナを構成する互いに直交する２辺に沿うように４枚の板状部のコーナの部分にそれぞれ設けられる側壁部と、４枚の板状部を互いに伸縮自在に連結する折畳み式の連結部と、を具備するものである。
【００２０】
従ってこのような梱包用緩衝体によると、ほぼ直方体状をなす被梱包物の上面と下面とにそれぞれこの梱包用緩衝体を装着するとともに、４つの板状部が上面の４つのコーナの部位と下面の４つのコーナの部位とに配されるようにすることによって、一対の梱包用緩衝体によってほぼ直方体状をなす梱包物を緩衝した状態で梱包できるようになる。ここでとくに板状部が伸縮自在な連結部を介して連結されているために、被梱包物の寸法の差異を上記連結部の伸縮によって吸収することができ、このために寸法の異なる製品に柔軟に対応することが可能になり、これによって被梱包物の寸法ごとにそれに対応した梱包用緩衝体を用意する必要がなくなり、汎用性を有する梱包用緩衝体が提供される。
【発明を実施するための最良の形態】
【００２１】
以下本願発明を図示の実施の形態によって説明する。まず第１の実施の形態を図１〜図５によって説明する。ここでは、例えば厚さが６ｍｍの発泡ポリエステル樹脂シートから成る板状の材料１０を用意する。そしてこの板状の材料１０を図１に示すように打抜く。図１において実線で示した部分が切断歯によって切断された部位である。
【００２２】
板状の材料１０は、ほぼ正方形の板状体の形状をなしており、その４つのコーナの部分にはほぼ正方形の形状の板状部１１を備えている。そして４枚の板状部１１に挟まれるように、板状の材料１０のほぼ中央部に４つの側壁１２が互いに組合わされた状態で打抜かれる。また４つの板状部１１は、互いに隣接する部位が連結部１３によって伸縮自在に連結される。すなわち連結部１３は、所定の幅を有し、交互に切込み１４を形成したものであって、伸縮自在に折畳まれる構造になっている。
【００２３】
このように板状部１１、側壁部１２、および連結部１３を有する板状の材料１０を用いて、図２に示すように緩衝体を組立てる。すなわち４枚の板状部１１の中央に位置するように打抜かれた４つの側壁部１２をそれぞれこの板状の材料１０から取出し、板状部１１の４つのコーナの部分にそれぞれ配するとともに、熱溶着部１５のところで熱溶着によって、板状部１１に対して側壁部１２を連結する。この板状部１１の外側部と側壁部１２の外側部とが互いにほぼ連続する垂直な平面をなすように熱溶着部１５で溶着して結合することになる。
【００２４】
図３および図４は、このようにして組立てられた梱包用緩衝体を示しており、この緩衝体はそのコーナの部分にそれぞれ板状部１１が配されるとともに、板状部１１の上面には、外側面が互いに連続するように側壁部１２が連結される。そして板状部１１は、互いに連結部１３によって伸縮自在に連結された構造になる。しかも連結部１３は切込み１４によって伸縮自在に折畳まれる構造になっており、しかも隣接する板状部１１を引っ張ると、連結部１３が伸びることになる。これによって各種の大きさの被梱包物に柔軟に対応できるようになる。
【００２５】
図５はこのような梱包用緩衝体を用いて梱包する状態を示している。直方体状をなす被梱包物２０は、例えば発泡樹脂シート２１によって予め包まれ、この発泡樹脂シート２１の側端の部分を粘着テープ２２によって止着している。そして被梱包物２０は段ボールケースから成る包装箱２５内に収納される。このときに被梱包物２０の上面の４つのコーナの部分と下面の４つのコーナの部分とがそれぞれ保護されるように、上下一対の梱包用緩衝体を被梱包物２０の上下に配する。上側の梱包用緩衝体は、その４つの板状部１１および側壁部１２によって、被梱包物２０の上面の４つのコーナの部分を受ける。これに対して下側の梱包用緩衝体は、４つの板状部１１と側壁部１２とによって、被梱包物２０の下面の４つのコーナの部分を受けることになる。このような状態で、被梱包物２０は上下一対の梱包用緩衝体によって緩衝された状態で、段ボールケースから成る包装箱２５内に収納される。
【００２６】
このような梱包形態は、被梱包物２０の形状が直方体である限り、その寸法にかかわらずフレキシブルに対応できる。すなわち被梱包物２０の寸法が大きい場合には、連結部１３を引伸ばし、これによって４つのコーナの部分を板状部１１に整合させることが可能になる。また被梱包物２０が小さい場合には、連結部１３の部分を折畳んで短くすることにより、より小さな寸法の梱包物２０に対応できるようになる。従って被梱包物２０の大きさに応じて各種の寸法の緩衝体を用意する必要がなく、このためにそれぞれの大きさの緩衝体を成形するための発泡成形用金型が必要でなくなる。また被梱包物２０の寸法に比べて、緩衝体の寸法が比較的小さくなるために、緩衝体の材料の使用量が低減される。さらにこのような形態は、梱包設計の工数の削減につながる。
【００２７】
次に別の実施の形態を図６〜図８によって説明する。この実施の形態は、側壁部１２を板状の材料１０の板状部１１の内側に連設する代わりに、板状部１１の外側部に連設するようにしている。４つの板状部１１の外側部には、半切り状連結部２８を介して側壁部１２が連設されるようになっている。またこの緩衝体は、その中央に受けパッド２９が連設される。受けパッド２９はリング状をなし、中心部には中心孔３０が形成される。そして受けパッド２９は４つの板状部１１と連結部１３間に形成される斜めの連結部３１を介して連結されている。
【００２８】
このような緩衝体は、図７に示すように、まず４つの板状部１１の外側部に形成されている側壁部１２を半切り状連結部２８のところで１８０度回転させ、この側壁部１２を板状部１１の上面に重合わせる。そしてその所要の部位を熱溶着し、これによって側壁部１２を板状部１１上に固定する。
【００２９】
このような構造の緩衝体は、被梱包物の上面あるいは下面の４つのコーナの部分を側壁部１２を備える板状部１１によって受けることができる。さらに被梱包物２０の上面および下面のほぼ中央部と当接するように、受けパッド２９が配される。これによって受けパッド２９で上下面のほぼ中央部が安定に保持されることになる。
【００３０】
次にさらに別の実施の形態を図９および図１０によって説明する。この実施の形態は、連結部１３の切込み１４のピッチを細かくし、これによって連結部１３がより長く伸長できるようにし、より大きな寸法の被梱包物２０に対応できるようにしている。
【００３１】
またこの実施の形態は、上記実施の形態と同様に中央の部分を受ける受けパッド２９を備えている。しかも受けパッド２９はその中心側の部分に円形プラグ部３４を備え、この円形プラグ部３４の外周囲が切断線３５によって受けパッド２９と遮断されている。しかも切断線３５はその所要の部位において連結部３６によって連結されている。従ってこの構成によると、連結部３６を切断すると、切断線３５によって円形プラグ部３４が受けパッド２９から分離される。従って受けパッド２９を偏平な円筒状の形状の緩衝手段として利用できるようになる。また連結部３６をそのままの状態にしておくと、受けパッド２９がその中心側において円形プラグ部３４を保持するようになり、これによって円板状の受けパッドとして機能する。
【００３２】
次にさらに別の実施の形態を図１１および図１２によって説明する。この実施の形態は、板状部１０の上に取付けられる側壁部１２に、さらに側方に連結するように延長側壁部４１を設けるようにしたものである。すなわちここでは、側壁部１２の端部側に切込み３９によって区画され、かつ連結部４０によって連結された延長側壁部４１を設けるようにしている。このような構成によって、側壁部１２の延長側にさらに別の側壁部４１が形成されることになる。またこの実施の形態においても、中央の受けパッド２９が円形プラグ部３４を備え、連結部３６を有する切断線３５のところで必要に応じて除去できるようになっている。
【００３３】
図１３〜図１５は、上述のような各実施の形態に係る梱包用緩衝体の使用例を示している。ここでは、例えば図１３に示すように、横長の偏平な筐体を備えるアンプ４５の梱包に用いた例が示されている。ここでは、アンプ４５の上面の４つのコーナの部分と下面の４つのコーナの部分とに、それぞれ４枚の板状部１１が装着され、しかもコーナの部分が側壁部１２によって受けられるようになっている。なおこのときに連結部１３は、上記アンプ４５の筐体の寸法に応じて適当な長さに伸長される。
【００３４】
図１４は比較的高さ方向に寸法が大きい直方体状のスピーカボックス４７の梱包に用いた例を示しており、ここではスピーカボックス４７の上面の４つのコーナの部分と下面の４つのコーナの部分とに、それぞれ側壁部１２を備える板状部１１が装着され、これらの板状部１１が４本の連結部１３によってそれぞれ連結された状態になる。ここで連結部１３の伸長度を調整することによって、緩衝体がスピーカボックス４７の寸法と一致することになる。
【００３５】
図１５は空輸用の二重包装に適用した例を示しており、被梱包物２０はまず上下一対の梱包用緩衝体によって、空輸用内箱５１内に梱包される。そして内箱５１がさらに空輸用外箱５０内に収納される。このときに外箱５０と内箱５１との間の隙間の部分に、さらに上下一対の梱包用緩衝体が配される。このような構造によると、被梱包物２０は二重に包装されるとともに、空輸用内箱５１内の緩衝体によって緩衝され、さらに内箱５１と外箱５０との間の隙間を埋めるように配される緩衝体によって緩衝される。
【００３６】
以上本願発明を図示の実施の形態によって説明したが、本願発明は上記実施の形態によって限定されることなく、本願に含まれる発明の技術的思想の範囲内において各種の変更が可能である。例えば上記実施の形態における梱包用緩衝体の板状部１１の厚さや、その寸法、あるいはまた連結部１３の伸長時および収縮時の寸法については、梱包する物品の寸法や要求される緩衝度に応じて任意に変更可能である。また本願発明は、上記実施の形態のようなアンプやスピーカボックス以外の各種の物品の梱包に広く利用可能である。
【産業上の利用可能性】
【００３７】
本願発明は、各種の物品を梱包して物流に供するのに広く利用可能である。
【図面の簡単な説明】
【００３８】
【図１】第１の実施の形態の梱包用緩衝体を構成する板状の材料シートの平面図および側面図である。
【図２】同梱包用緩衝体の組立てを示す平面図および側面図である。
【図３】組立てられた梱包用緩衝体の連結部を伸長させた状態の平面図である。
【図４】同要部外観斜視図である。
【図５】この緩衝体によって被梱包物を梱包する状態を示す分解斜視図である。
【図６】変形例に係る梱包用緩衝体を構成する材料シートの平面図および側面図である。
【図７】同梱包用緩衝体の平面図および側面図である。
【図８】同梱包用緩衝体の外観斜視図である。
【図９】別の実施の形態の梱包用緩衝体を構成する板状のシートの平面図および側面図である。
【図１０】同梱包用緩衝体の平面図および側面図である。
【図１１】さらに別の実施の形態に係る梱包用緩衝体を組立てるための板状の材料シートの平面図および側面図である。
【図１２】同組立てた状態の平面図および側面図である。
【図１３】アンプの梱包用緩衝体として用いたときの外観斜視図である。
【図１４】スピーカボックスの梱包用緩衝体として用いたときの外観斜視図である。
【図１５】空輸用の二重梱包として用いたときの縦断面図である。
【符号の説明】
【００３９】
１０…板状の材料、１１…板状部、１２…側壁部、１３…連結部、１４…切込み、１５…熱溶着部、２０…被梱包物、２１…発泡樹脂シート、２２…粘着テープ、２５…包装箱（段ボールケース）、２８…半切り状連結部、２９…受けパッド、３０…中心孔、３１…連結部、３４…円形プラグ部、３５…切断線、３６…連結部、３９…切込み、４０…連結部、４１…延長側壁部、４５…アンプ、４７…スピーカボックス、５０…空輸用外箱、５１…空輸用内箱
【図１】
2007099371.tif 000003
【図２】
2007099371.tif 000004
【図３】
2007099371.tif 000005
【図４】
2007099371.tif 000006
【図５】
2007099371.tif 000007
【図６】
2007099371.tif 000008
【図７】
2007099371.tif 000009
【図８】
2007099371.tif 000010
【図９】
2007099371.tif 000011
【図１０】
2007099371.tif 000012
【図１１】
2007099371.tif 000013
【図１２】
2007099371.tif 000014
【図１３】
2007099371.tif 000015
【図１４】
2007099371.tif 000016
【図１５】
2007099371.tif 000017